(57)【要約】【課題】オイルパン上の付着物がオイルパンの奥側へ入り込むのを抑制して付着物を十分に取除くことができ、清掃作業にかかる作業者の負担を軽減することができる乗客コンベアのオイルパン清掃装置の提供。【解決手段】Ｌ字型の筒体１と、筒体１に移動可能に設けられ、オイルパンを清掃する清掃体１０とを備え、筒体１は、オイルパンの端部側に鉛直方向に配置された第１の片１ａと、踏段とオイルパンとの間に配置され、清掃体１０を案内する第２の片１ｂとを有し、清掃体１０は、第２の片１ｂの内部に係合し、第２の片１ｂに案内される係合案内部１３と、この係合案内部１３に設けられ、オイルパンを摺動する摺動部とを有し、この摺動部は、第１の片１ａの方向へ向かって移動するときに摺動幅を拡大し、第１の片１ａから遠ざかる方向へ向かって移動するときに摺動幅を縮小するようにした。【選択図】図１
2014009086.tif 000002
【特許請求の範囲】
【請求項１】
無端状に連結され、循環移動する踏段と、この踏段の下方に延設されたオイルパンとを備えた乗客コンベアに用いられる乗客コンベアのオイルパン清掃装置において、
Ｌ字型に形成された筒体と、
この筒体に移動可能に設けられ、前記オイルパンを清掃する清掃体とを備え、
前記筒体は、
前記オイルパンの端部側に鉛直方向に配置される第１の片と、
この第１の片の下端に設けられ、前記踏段と前記オイルパンとの間に配置され、前記清掃体を案内する第２の片とを有し、
前記清掃体は、
前記第２の片に係合し、この第２の片に案内される係合案内部と、
この係合案内部に設けられ、前記オイルパンを摺動して前記オイルパン上の付着物を除去する摺動部とを有し、
この摺動部は、前記第１の片の方向へ向かって移動するときに摺動幅を拡大し、前記第１の片から遠ざかる方向へ向かって移動するときに摺動幅を縮小するようにしたことを特徴とする乗客コンベアのオイルパン清掃装置。
【請求項２】
請求項１に記載の乗客コンベアのオイルパン清掃装置において、
前記摺動部は、移動方向に応じて回動して開閉する開閉体から成り、
前記開閉体は、前記第１の方向へ向かって移動するときに回動して側方へ開き、前記第１の片から遠ざかる方向へ向かって移動するときに回動して閉じることを特徴とする乗客コンベアのオイルパン清掃装置。
【請求項３】
請求項２に記載の乗客コンベアのオイルパン清掃装置において、
前記清掃体を駆動する駆動ロープと、
前記筒体の端部に設けられ、前記駆動ロープを巻取る巻取部と、
この巻取部の巻取り動作に連動して前記清掃体を移動させると共に、前記開閉体を開閉させる連動部とを備えたことを特徴とする乗客コンベアのオイルパン清掃装置。
【請求項４】
請求項３に記載の乗客コンベアのオイルパン清掃装置において、
前記第２の片は、伸縮可能に形成されており、
前記巻取部は、前記第２の片の長さに合わせて前記駆動ロープを巻取り又は引出すことを特徴とする乗客コンベアのオイルパン清掃装置。
【発明の詳細な説明】
【技術分野】
【０００１】
本発明は、踏段の下方に延設されたオイルパンを清掃する乗客コンベアのオイルパン清掃装置に関する。
【背景技術】
【０００２】
一般的に、エレベータや動く歩道等の乗客コンベアは、無端状に連結され、循環移動する踏段と、この踏段の下方に延設されたオイルパンとを備えている。乗客コンベアの移送面である踏段の踏面には、乗客の髪の毛、乗客の衣服等の繊維ゴミを含む塵埃、及び靴等に付着した屋外からの砂埃等が落下する。また、踏段の踏面には、風等の様々な要因によっても、このような塵埃や砂埃等が落下する。
【０００３】
踏段の踏面に落下して付着した塵埃や砂埃等は、そのほとんどが踏段が反転するオイルパンの両端部、すなわち乗降口で落下し、一部は踏段の隙間からトラス内に入り込み、オイルパン上へ落下する。そして、オイルパン上に落下して付着した塵埃や砂埃等は時間が経過するにつれて堆積することになるが、このような状態が放置されるのは好ましくないので、定期的なオイルパンの清掃が必要となる。
【０００４】
このようなオイルパンの清掃は、従来より主に保守作業を行う作業者が箒と塵取りを用いて行われるが、その場合はオイルパンの奥側にある堆積した付着物を取るために踏段を数枚取外す必要がある。そのため、この踏段の取外し作業にかかる作業者の負担が大きくなることが問題になっていた。
【０００５】
また、作業者が作業を行っている間は乗客コンベアを動かすことができないので、その間は利用者は他の乗客コンベアを利用することになるが、踏段の取外し作業に要する作業時間も長時間となるので、利用者に対する利便性が低下することが問題になっていた。そのため、踏段を取外さずにオイルパンの清掃を短時間で行うことができるものが要望されていた。
【０００６】
そこで、踏段とオイルパンとの間の狭隘部分に挿入するため、板状かつ伸縮可能な掻き出し具（清掃体）と、この板状掻き出し具に連結された支持軸と、支持軸に連結されたハンドル棒とから構成され、乗客コンベアのオイルパンに堆積した塵埃を清掃する作業で用いる乗用コンベアのオイルパン清掃具が従来技術の１つとして提案されている（例えば、特許文献１参照）。
【０００７】
また、オイルパンの油溜底面部に沿って往復移動自在に保持され、油溜底面部上の異物をオイルパン端部に集積させるスイーパ（清掃体）と、スイーパを往復移動させる駆動装置とを備えたエスカレータのオイルパン清掃装置が他の従来技術の１つとして提案されている（例えば、特許文献２参照）。
【先行技術文献】
【特許文献】
【０００８】
【特許文献１】特開２００７−１７６６号公報
【特許文献２】特開２００２−１２８４５１号公報
【発明の概要】
【発明が解決しようとする課題】
【０００９】
しかし、特許文献１に開示された従来技術の乗用コンベアのオイルパン清掃具は、作業者が支持棒とハンドル棒を握って板状掻き出し具を支持軸の軸線周りに回転させることにより、オイルパンを清掃しているので、塵埃を掻き出す軌道が円運動になる。そのため、清掃具の端部側にある塵埃を上手く取除くことができず、塵埃をオイルパン上に取残すことが懸念されている。なお、オイルパンの端部側（機械室側）から見てオイルパンの奥側を清掃するためには、掻き出し具を伸長させる必要があるが、オイルパンの端部側から奥側へ延設された掻き出し具を支持軸の軸線周りにハンドル棒だけで回転させるには、より大きな力が必要となり、ハンドル棒を操作する作業者の労力が過大になることが問題となっている。
【００１０】
さらに、特許文献２に開示された従来技術のエスカレータのオイルパン清掃装置は、駆動装置を取付けるために一度は踏段を取外さなければならず、踏段の取外し作業を行う作業者の負担があまり軽減されないことが問題になっている。また、従来技術のエスカレータのオイルパン清掃装置は、スイーパはオイルパンの幅方向に沿ってオイルパンに摺接した状態で、駆動装置の駆動によって往復移動させることにより、オイルパン上の塵埃をオイルパンの端部側へ集積させるようにしているので、スイーパによるオイルパンの奥側から端部側への一回の移動で塵埃を十分に取除くことができなかった場合には、スイーパを再びオイルパンの奥側へ戻す際に、オイルパン上に取残された塵埃がスイーパによってオイルパンの奥側へ入り込むことが懸念されている。
【００１１】
本発明は、このような従来技術の実情からなされたもので、その目的は、オイルパン上の付着物がオイルパンの奥側へ入り込むのを抑制して付着物を十分に取除くことができ、清掃作業にかかる作業者の負担を軽減することができる乗客コンベアのオイルパン清掃装置を提供することにある。
【課題を解決するための手段】
【００１２】
上記の目的を達成するために、本発明の乗客コンベアのオイルパン清掃装置は、無端状に連結され、循環移動する踏段と、この踏段の下方に延設されたオイルパンとを備えた乗客コンベアに用いられる乗客コンベアのオイルパン清掃装置において、Ｌ字型に形成された筒体と、この筒体に移動可能に設けられ、前記オイルパンを清掃する清掃体とを備え、前記筒体は、前記オイルパンの端部側に鉛直方向に配置される第１の片と、この第１の片の下端に設けられ、前記踏段と前記オイルパンとの間に配置され、前記清掃体を案内する第２の片とを有し、前記清掃体は、前記第２の片に係合し、この第２の片に案内される係合案内部と、この係合案内部に設けられ、前記オイルパンを摺動して前記オイルパン上の付着物を除去する摺動部とを有し、この摺動部は、前記第１の片の方向へ向かって移動するときに摺動幅を拡大し、前記第１の片から遠ざかる方向へ向かって移動するときに摺動幅を縮小するようにしたことを特徴としている。
【発明の効果】
【００１３】
本発明の乗客コンベアのオイルパン清掃装置によれば、オイルパン上の付着物がオイルパンの奥側へ入り込むのを抑制して付着物を十分に取除くことができ、清掃作業にかかる作業者の負担を軽減することができる。前述した以外の課題、構成及び効果は、以下の実施形態の説明により明らかにされる。
【図面の簡単な説明】
【００１４】
【図１】本発明に係る乗客コンベアのオイルパン清掃装置の一実施形態に備えられた筒体及び清掃体の構成を示す右側面図である。
【図２】図１に示す筒体及び清掃体の平面図である。
【図３】図１に示す清掃体の連動部を説明する図である。
【発明を実施するための形態】
【００１５】
以下、本発明に係る乗客コンベアのオイルパン清掃装置を実施するための形態を図に基づいて説明する。なお、以下の説明において、図１に示す清掃体１０がオイルパンの端部側から見て奥側へ向かって移動する方向を前方とし、反対方向を後方とする。
【００１６】
本発明に係る乗客コンベアのオイルパン清掃装置の一実施形態は、図示されないが、無端状に連結され、循環移動する踏段と、この踏段の下方に延設されたオイルパンとを備えた乗客コンベアのオイルパン清掃に用いられる。このような乗客コンベアとして、例えば建物の上階と下階を連絡するエスカレータを例に挙げて説明する。
【００１７】
このエスカレータのオイルパンの両端部、すなわちエスカレータの上階及び下階の乗降口は水平方向に延設され、中央部分はこれらの乗降口の水平方向部分を接続するように踏段に沿って傾斜して延設されている。本実施形態は、図１、図２に示すようにＬ字型に形成された筒体１と、この筒体１に移動可能に設けられ、オイルパンを清掃する清掃体１０とを備えている。筒体１は、オイルパンの端部側に鉛直方向に配置される第１の片１ａと、この第１の片１ａの下端に設けられ、踏段とオイルパンとの間に配置され、清掃体１０を案内する第２の片１ｂとを有している。
【００１８】
特に、本実施形態では、この第２の片１ｂは例えば踏段とオイルパンの水平方向部分との間に介装される。そして、清掃体１０は、第２の片１ｂの内部に係合して、この第２の片１ｂに案内される係合案内部１３と、この係合案内部１３に設けられてオイルパンを摺動してオイルパン上の付着物を除去する摺動部とを有している。この摺動部は、オイルパンの端部側、即ち第１の片１ａの方向へ向かって移動するときに摺動幅を拡大し、オイルパンの端部側と反対側、即ち第１の片１ａから遠ざかる方向へ向かって移動するときに摺動幅を縮小するようにしている。
【００１９】
具体的には、摺動部は、移動方向に応じて回動して開閉する開閉体から成っており、この開閉体として、例えばオイルパン上の塵埃及び砂埃を含むゴミや油等の付着物を掻き取る一対のスクレーパ１１ａ，１１ｂ（便宜的に、左側方へ回動するスクレーパを１１ａ、右側方へ回動するスクレーパを１１ｂと付す）が用いられている。なお、スクレーパ１１ａ，１１ｂには、例えばゴミや油等の付着物を回収するために硬質ゴムが設けられている。
【００２０】
本実施形態は、清掃体１０を駆動する駆動ロープ６と、筒体１の端部に設けられ、駆動ロープ６を巻取る巻取部とを備えている。この巻取部は、例えば筒体１の第１の片１ａの上端部に回動可能に設けられ、互いに回転軸線を共通にして離間して配置された一対のドラム２Ａ，２ｂとから構成されている。
【００２１】
さらに、本実施形態は、ドラム２Ａ，２Ｂの巻取り動作に連動して清掃体１０を移動させると共に、スクレーパ１１ａ，１１ｂを開閉させる連動部とを備えている。この連動部は、例えば筒体１の内部のうち第１の片１ａの下端部と第２の片１ｂの後端部との接続部分、すなわちＬ字型の形状の屈曲部分に回動可能に設けられ、駆動ロープ６を筒体１のＬ字型の形状に沿って案内する一対のロープガイド５ａ，５ｂと、筒体１の第２の片１ｂの内部の前端部、すなわち第２の片１ｂの内部の先端部に回動可能に設けられ、駆動ロープ６を転向させるプーリ４とを有している。
【００２２】
従って、駆動ロープ６は、一端部がドラム２Ａに固定され、ドラム２Ａに数回巻取られた後、下方に垂下されてロープガイド５ａに巻掛けられている。その後、駆動ロープ６は、第２の片１ｂに沿って前方へ引っ張られてプーリ４に巻掛けられ、第２の片１ｂに沿って後方へ引っ張られてロープガイド５ｂに巻掛けられている。そして、駆動ロープ６は、上方へ持ち上げられてドラム２Ｂに数回巻取られた後、他端部がドラム２Ｂに固定されている。
【００２３】
また、ドラム２Ａ，２ｂには、例えば左右方向の外側部分にそれぞれ固定された固定レバー３Ａ，３Ｂ（便宜的に、ドラム２Ａに固定された固定レバーを３Ａ、ドラム２Ｂに固定された固定レバーを３Ｂと付す）が設けられており、これらの固定レバー３Ａ，３Ｂをドラム２Ａ，２Ｂの回転軸線周りに回動させることにより、ドラム２Ａ，２Ｂが固定レバー３Ａ，３Ｂの回動方向に応じて軸線周りに回動して駆動ロープ６を巻取り又は引出すようになっている。
【００２４】
例えば、駆動ロープ６に緩みがなく、筒体１の形状に沿って張った状態である場合には、固定レバー３Ａを回動して駆動ロープ６をドラム２Ａに巻取らせると、ドラム２Ｂに巻取られた駆動ロープ６が引出され、固定レバー３Ｂを回動して駆動ロープ６をドラム２Ｂに巻取らせると、ドラム２Ａに巻取られた駆動ロープ６が引出される。
【００２５】
上述した係合案内部１３は、例えば図３に示すように上方から見て長方形の形状をした枠体からなり、左右方向における側面が筒体１の第２の片１ｂの内部の左右両側に係合するようになっている。連動部は、例えば係合案内部１３の前後方向の両端に穿設され、駆動ロープ６を挿通させる挿通孔１４ａ，１４ｂ（便宜的に後方側の挿通孔を１４ａ、前方側の挿通孔を１４ｂと付す）と、上方から見て係合案内部１３の枠体内に収容され、駆動ロープ６を把持する把持具７とを有している。なお、この把持具７は、例えば係合案内部１３の挿通孔１４ａ，１４ｂよりも大きく設定されている。
【００２６】
また、連動部は、例えば係合案内部１３の前端部（プーリ４側の端部）の左右方向における外側部分に対して、各スクレーパ１１ａ，１１ｂを鉛直方向に沿う軸線周りに回動可能にそれぞれ取付ける回動体１２ａ，１２ｂ（便宜的に、係合案内部１３の左側の回動体を１２ａ、係合案内部１３の右側の回動体を１２ｂと付す）と、これらの回動体１２ａ，１２ｂをスクレーパ１１ａ，１１ｂが閉じる方向へ回動するように付勢する付勢部（図示せず）と、一端部が各回動体１２ａ，１２ｂに固定されて数回巻取られ、他端部が把持具７にそれぞれ固定された一対の開閉ロープ１５ａ，１５ｂ（便宜的に、回動体１２ａに巻取られる開閉ロープを１５ａ、回動体１２ｂに巻取られる開閉ロープを１５ｂと付す）とを有している。
【００２７】
さらに、把持具７が係合案内部１３の前端部（プーリ４側の端部）の内側に接触した状態では、スクレーパ１１ａ，１１ｂが閉じた状態となるように開閉ロープ１５ａ，１５ｂを巻取る回動体１２ａ，１２ｂの巻取り回数が予め調整されている。また、把持具７が係合案内部１３の後端部（ロープガイド５ａ，５ｂ側の端部）の内側に接触した状態では、スクレーパ１１ａ，１１ｂが左右方向に沿って開いた状態となるように把持具７と回動体１２ａ，１２ｂとの間を張る開閉ロープ１５ａ，１５ｂの長さが予め設定されている。
【００２８】
従って、把持具７が係合案内部１３の前端部（プーリ４側の端部）の内側に接触した状態で、ドラム２ｂが付勢部の付勢力に抗して駆動ロープ６を巻取ると、把持具７が駆動ロープ６によってロープガイド５側へ引っ張られることにより、付勢部の付勢力と反対方向の力のモーメントが発生するので、スクレーパ１１ａ，１１ｂは側方へ回動して開きながら把持具７が係合案内部１３の後端部（ロープガイド５ａ，５ｂ側の端部）へ向けて移動する。
【００２９】
そして、ドラム２ｂが駆動ロープ６を付勢部の付勢力に抗して巻取り続け、スクレーパ１１ａ，１１ｂが側方へ完全に開いて把持具７が係合案内部１３の後端部の内側に当接すると、把持具７は挿通孔１４ａを通ることができないので、把持具７が係合案内部１３の後端部を押出すことにより、スクレーパ１１ａ，１１ｂが開いた状態を保ちつつ、係合案内部１３が後方のロープガイド５ａ，５ｂ側、すなわちオイルパンの端部側へ向かってオイルパンを摺動する。
【００３０】
一方、把持具７が係合案内部１３の後端部（ロープガイド５ａ，５ｂ側の端部）の内側に接触した状態で、ドラム２ａが駆動ロープ６を巻取ると、把持具７が駆動ロープ６によってプーリ４側へ引っ張られると共に、付勢部の付勢力と反対方向の力のモーメントが消失しているので、スクレーパ１１ａ，１１ｂは回動して閉じながら把持具７が係合案内部１３の前端部（プーリ４側の端部）へ向けて移動する。
【００３１】
そして、ドラム２ａが駆動ロープ６を巻取り続け、スクレーパ１１ａ，１１ｂが完全に閉じて把持具７が係合案内部１３の前端部の内側に当接すると、把持具７は挿通孔１４ｂを通ることができないので、把持具７が係合案内部１３の前端部を押出すことにより、スクレーパ１１ａ，１１ｂが閉じた状態を保ちつつ、係合案内部１３が前方のプーリ４側、すなわちオイルパンの端部側と反対側へ向かってオイルパンを摺動する。
【００３２】
このように、スクレーパ１１ａ，１１ｂは、オイルパンの端部側へ向かって移動するときに側方へ開くことで摺動幅を拡大し、オイルパンの端部側と反対側へ向かって移動するときに閉じて摺動幅を縮小するようになっている。さらに、本実施形態は、筒体１の第２の片１ｂは、例えば伸縮可能に形成されており、ドラム２Ａ，２Ｂは、筒体１の第２の片１ｂの長さに合わせて駆動ロープ６を巻取り又は引出すようになっている。
【００３３】
次に、本実施形態に係るオイルパン清掃装置を用いたオイルパンの清掃作業を説明する。
【００３４】
本実施形態では、まず作業者は、オイルパンの端部側から筒体１の第２の片１ｂを踏段とオイルパンの水平方向部分との間に介装させる。なお、係合案内部１３は予め筒体１の第２の片１ｂの内部の前端部側、すなわち第２の片１ｂの内部の先端部側に配置しておく。このときまた把持具７は係合案内部１３の前端部の内側に当接した状態となり、付勢部の付勢力によってスクレーパ１１ａ，１１ｂは閉じられている。
【００３５】
次に、作業者は、スクレーパ１１ａ，１１ｂの先端が、オイルパンの端部側から見てオイルパンの奥側端部、すなわちオイルパンのうち水平方向部分と傾斜部分とが接続された部分に位置するまで駆動ロープ６をドラム２Ａ，２Ｂから引出しながら筒体１の第２の片１ｂを伸ばし、第２の片１ｂの長さを調整する。
【００３６】
その後、作業者は、固定レバー３Ｂを把持して回動することにより、駆動ロープ６をドラム２Ｂに巻取ると、閉じたスクレーパ１１ａ，１１ｂが側方へ回動して開いた後、スクレーパ１１ａ，１１ｂが開いた状態でオイルパンの端部側へ向けてオイルパンを摺動する。これにより、スクレーパ１１ａ，１１ｂがオイルパン上の塵埃及び砂埃を含むゴミや油等の付着物をオイルパンの端部側へ掻き集めるので、作業者は掻き集められた付着物を除去して清掃する。
【００３７】
このとき、仮にスクレーパ１１ａ，１１ｂによるオイルパンの奥側から端部側への一回の移動だけでオイルパン上の付着物を十分に取除くことができなかった場合には、作業者は、他方の固定レバー３Ａを把持して回動することにより、駆動ロープ６をドラム２Ａに巻取る。これにより、開いたスクレーパ１１ａ，１１ｂが回動して閉じた後、スクレーパ１１ａ，１１ｂが閉じた状態でオイルパンの奥側へ向けて移動し、再び元の位置へ戻る。
【００３８】
そして、作業者は、再度、固定レバー３Ｂを把持して回動することにより、駆動ロープ６をドラム２Ｂに巻取ると、閉じたスクレーパ１１ａ，１１ｂが側方へ回動して開いた後、スクレーパ１１ａ，１１ｂが開いた状態でオイルパンの端部側へ向けてオイルパンを摺動する。これにより、スクレーパ１１ａ，１１ｂがオイルパン上に取残された付着物をオイルパンの端部側へ掻き集めるので、作業者は掻き集められた付着物を除去して清掃する。なお、スクレーパ１１ａ，１１ｂの幅がオイルパンの左右方向の幅よりも小さい場合には、作業者は筒体１を左右方向へ平行に移動させることにより、上述の作業を繰り返す。
【００３９】
次に、作業者は、駆動ロープ６をドラム２Ａ，２Ｂに巻取りながら筒体１の第２の片１ｂを縮めた後、第２の片１ｂを踏段とオイルパンの水平方向部分との間から取出し、本実施形態に係るオイルパン清掃装置を用いたオイルパンの清掃作業を終了する。
【００４０】
このように構成した本実施形態によれば、オイルパンの清掃作業において、作業者は固定レバー３Ｂを回動することにより、スクレーパ１１ａ，１１ｂを開かせた状態でオイルパンの奥側から端部側へ前後方向に真直ぐ移動させることができる。そのため、スクレーパ１１ａ，１１ｂの端部側にある付着物にもスクレーパ１１ａ，１１ｂの先端が届くので、オイルパン上の付着物を隅々まで上手く取り除くことができ、オイルパン上に付着物を取残すことを抑制することができる。
【００４１】
また、本実施形態は、筒体１の第２の片１ｂを踏段とオイルパンの水平方向部分との間に介装させるようにしているので、エレベータに本実施形態に係るオイルパン清掃装置を設けるのに踏段を取外さなくて済み、オイルパンの清掃作業における作業者の負担を軽減することができる。さらに、スクレーパ１１ａ，１１ｂによるオイルパンの奥側から端部側への一回の移動だけでオイルパン上の付着物を十分に取除くことができなかった場合でも、作業者は、スクレーパ１１ａ，１１ｂを元のオイルパンの奥側の位置へ戻す際にスクレーパ１１ａ，１１ｂが閉じて摺動幅が縮小するので、オイルパン上に取残された付着物がスクレーパ１１ａ，１１ｂによってオイルパンの奥側へ入り込むのを抑えることができる。このように、本実施形態は、オイルパン上の付着物がオイルパンの奥側へ入り込むのを抑制して付着物を十分に取除くことができ、清掃作業にかかる作業者の負担を軽減することができるので、高い清掃能力及び作業性を確保することができる。
【００４２】
また、本実施形態の、スクレーパ１１ａ，１１ｂは、オイルパンの端部側へ向かって移動するときに回動して側方へ開き、オイルパンの端部側と反対側へ向かって移動するときに回動して閉じるようにしているので、このように移動方向に応じて開閉するだけでその摺動幅を容易に拡大又は縮小することができる。これにより、清掃体１０における優れた摺動幅の調整機能を実現することができる。
【００４３】
また、本実施形態は、駆動ロープ６がドラム２Ａ，２Ｂに巻取られているので、各ドラム２Ａ，２Ｂの巻取り動作に応じて駆動ロープ６を引出してオイルパンの端部側又は奥側へ引き寄せることができる。そして、スクレーパ１１ａ，１１ｂを取付けた回動体１２ａ，１２ｂ、駆動ロープ６を把持する把持具７、及び回動体１２ａ，１２ｂに巻取られ、一端が把持具７に取付けられた固定ロープ１５ａ，１５ｂを用いているので、把持具７を駆動ロープ６でオイルパンの端部側又は奥側へ引っ張るだけで、スクレーパ１１ａ，１１ｂを移動方向に応じて開閉させることができる。
【００４４】
さらに、把持具７は、駆動ロープ６のうち係合案内部１３の各挿通孔１４ａ，１４ｂの間の部分を把持しているので、把持具７を係合案内部１３の内側に当接した状態で駆動ロープ６によりオイルパンの端部側又は奥側へ引っ張るだけで、スクレーパ１１ａ，１１ｂの開閉状態を維持しつつ、係合案内部１３を移動させることができる。このように、ドラム２Ａ，２Ｂの巻取り動作に連動して係合案内部１３の移動動作及び開閉動作の２つの動作を行うことにより、スクレーパ１１ａ，１１ｂをオイルパンの端部側と奥側との間で往復して摺動させるのに、作業者はドラム２Ａ，２Ｂを軸線周りに相互に回動させるだけで良いので、オイルパンの清掃作業を効率良く進めることができる。特に、本実施形態は、ドラム２Ａ，２Ｂの巻取り動作を筒体１の第１の片１ａの上端部にある固定レバー３Ａ，３Ｂによって実行できるので、大きな力を必要とせず、操作性に優れている。
【００４５】
また、本実施形態は、筒体１の第２の片１ｂが伸縮可能に形成されているので、オイルパンの端部側から奥側までの距離が大きい場合には、第２の片１ｂを伸ばして延長することにより、スクレーパ１１ａ，１１ｂの清掃範囲を拡大することができる。すなわち、筒体１の第２の片１ｂを伸縮可能な最大の長さに合わせてドラム２Ａ，２Ｂに駆動ロープ６を巻取らせておけば、エスカレータのオイルパンの奥行き寸法に適用することができる。例えば、筒体１の第２の片１ｂを伸ばす場合には、この第２の片１ｂの伸長分に応じて駆動ロープ６をドラム２Ａ，２Ｂから引出し、筒体１の第２の片１ｂを縮める場合には、第２の片１ｂの短縮分に応じて駆動ロープ６をドラム２Ａ，２Ｂを巻取ることにより、筒体１の第２の片１ｂの長さに合わせて駆動ロープ６の長さを調整できるので、駆動ロープ６に過剰な張力がかかったり、あるいは駆動ロープ６が緩んだりすることなく、駆動ロープ６を適切な状態に維持することができる。
【００４６】
また、本実施形態に係るオイルパン清掃装置は、オイルパンを清掃する際に用いられるが、オイルパンを清掃せずに保管する場合には、筒体１の第２の片１ｂを縮め、余った駆動ロープ６をドラム２Ａ，２Ｂに巻取ることにより、保管スペースを縮小することができる。さらに、筒体１の運搬時の取り廻しも楽になるので、作業者が筒体１を通路の壁面に当てる頻度を減少させることができる。
【００４７】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４８】
また、本実施形態は、乗客コンベアとして、建物の上階と下階を連絡するエスカレータに用いられた場合について説明したが、この場合に限らず、乗客コンベアとして、例えば動く歩道等に用いても良い。
【００４９】
また、本実施形態は、筒体１の第２の片１ｂが伸縮可能に形成されている場合について説明したが、第２の片１ｂの構造は、例えば掃除機のノズルのように伸縮する構造、蛇腹式の構造、又は分割と結合により伸縮する構造であっても良い。
【００５０】
また、本実施形態は、清掃体１０の開閉体としてオイルパン上の塵埃及び砂埃を含むゴミや油等の付着物を掻き取る一対のスクレーパ１１ａ，１１ｂが用いられており、これらのスクレーパ１１ａ，１１ｂには、ゴミや油等の付着物を回収するために硬質ゴムが設けられた場合について説明したが、この場合に限らず、付着物として繊維状のゴミが多い場合には、清掃体１０の開閉体として、例えば清掃ブラシを用いても良い。従って、清掃体１０の開閉体は、本実施形態に係るスクレーパ１１ａ，１１ｂに限定されるものではなく、付着物の種類等に応じて適宜選択することができる。
【００５１】
また、本実施形態は、オイルパンの清掃作業において、スクレーパ１１ａ，１１ｂの幅がオイルパンの左右方向の幅よりも小さい場合には、作業者は筒体１を左右方向へ平行に移動させて対応した場合について説明したが、この場合に限らず、スクレーパ１１ａ，１１ｂの幅を予めオイルパンの左右方向の幅よりも大きく設定しても良い。
【００５２】
また、本実施形態は、ドラム２Ａ，２ｂの左右方向の外側部分に固定レバー３Ａ，３Ｂがそれぞれ固定されており、作業者が固定レバー３Ａ，３Ｂを把持してドラム２Ａ，２Ｂを軸線周りに回動させた場合について説明したが、この場合に限らず、例えばモータ等の駆動装置を用いてドラム２Ａ，２Ｂを軸線周りに回動させても良い。
【符号の説明】
【００５３】
１  筒体
１ａ  第１の片
１ｂ  第２の片
２Ａ，２Ｂ  ドラム
３Ａ，３Ｂ  固定レバー
４  プーリ
５ａ，５ｂ  ロープガイド
６  駆動ロープ
７  把持具
１０  清掃体
１１ａ，１１ｂ  スクレーパ（開閉体）
１２ａ，１２ｂ  回動体
１３  係合案内部
１４ａ，１４ｂ  挿通孔
１５ａ，１５ｂ  開閉ロープ
【図１】
2014009086.tif 000003
【図２】
2014009086.tif 000004
【図３】
2014009086.tif 000005